(57)【要約】      （修正有）【課題】デュアルコネクティビティにおける端末の総設定最大出力パワーＰＣＭＡＸを決定する手法を提供する。【解決手段】ワイヤレス通信ネットワークにおいて端末を動作させる方法であって、端末が、デュアルコネクティビティに適合されており、同期レベルに基づいて端末の総設定最大出力パワーＰＣＭＡＸを決定する。具体的には、端末が、ＭＣＧのサブフレームｐがＳＣＧのサブフレームｑと重複して、サブフレームｐの第１のスロットがサブフレームｑの第１のスロットと重複し、サブフレームｐがサブフレームｑと比較して時間的に先行するようになっているときに、ＭＣＧのサブフレームｐを参照サブフレームとして規定し、参照サブフレームのＰＣＭＡＸを、ＳＣＧのサブフレームｑ−１およびｑを考慮して決定する。【選択図】図４（ａ）
2020115645.tif 000002
【特許請求の範囲】
【請求項１】
ワイヤレス通信ネットワークにおいて端末（１０）を動作させる方法であって、前記端末（１０）が、デュアルコネクティビティに適合されており、前記方法が、同期レベルに基づいて前記端末（１０）の総設定最大出力パワーＰＣＭＡＸを決定することを含む、方法。
【請求項２】
同期情報を取得することを含み、前記同期情報が、同期レベルを指す、請求項１に記載の方法。
【請求項３】
前記端末（１０）が、マスタセルグループ（ＭＣＧ）を介してマスタネットワークノード（１００）に接続され、２次セルグループ（ＳＣＧ）を介して２次ネットワークノードに接続される、請求項１または２に記載の方法。
【請求項４】
前記ＳＣＧのサブフレームとそれぞれのスロット１で重複する前記ＭＣＧのサブフレームを互いに対にして、総設定最大出力パワーＰＣＭＡＸを決定する、請求項１から３のいずれか一項に記載の方法。
【請求項５】
前記ＭＣＧおよび前記ＳＣＧの重複するサブフレームのうち、サブフレーム対の他方のサブフレームと比較して時間的に先行しているサブフレームを、参照サブフレームとして規定する、請求項１から４のいずれか一項に記載の方法。
【請求項６】
ワイヤレス通信ネットワークの端末（１０）であって、デュアルコネクティビティに適合され、さらに同期レベルに基づいて前記端末（１０）の総設定最大出力パワーＰＣＭＡＸを決定するように適合される、端末（１０）。
【請求項７】
同期情報を取得するようにさらに適合され、前記同期情報が、前記同期レベルを指す、請求項６に記載の端末。
【請求項８】
マスタセルグループ（ＭＣＧ）を介してマスタネットワークノード（１００）に接続され、または接続可能であり、２次セルグループ（ＳＣＧ）を介して２次ネットワークノードに接続される、または接続可能である、請求項６または７に記載の端末。
【請求項９】
前記ＳＣＧのサブフレームとそれぞれのスロット１で重複する前記ＭＣＧのサブフレームを互いに対にして、総設定最大出力パワーＰＣＭＡＸを決定する、請求項６から８のいずれか一項に記載の端末。
【請求項１０】
前記ＭＣＧおよび前記ＳＣＧの重複するサブフレームのうち、サブフレーム対の他方のサブフレームと比較して時間的に先行しているサブフレームを、参照サブフレームとして規定する、請求項６から９のいずれか一項に記載の端末。
【請求項１１】
ネットワークノード（１００）を動作させる方法であって、前記ネットワークノード（１００）が、端末（１０）とデュアルコネクティビティ状態であり、前記方法が、前記ネットワークノード（１００）が、前記端末（１０）が設定されるマスタセルグループ（ＭＣＧ）および２次セルグループ（ＳＣＧ）からの信号の間の時間差に関する同期情報を取得することを含む、方法。
【請求項１２】
前記取得した同期情報を前記端末（１０）に送信することをさらに含む、請求項１１に記載の方法。
【請求項１３】
ネットワークノード（１００）であって、端末（１０）とのデュアルコネクティビティに適合され、前記端末（１０）が設定されるマスタセルグループ（ＭＣＧ）および２次セルグループ（ＳＣＧ）からの信号の間の時間差に関する同期情報を取得するように適合される、ネットワークノード（１００）。
【請求項１４】
制御回路によって実行可能なコードを含むプログラム製品であって、前記コードが、前記制御回路上で実行された場合に、前記制御回路に、請求項１から５または１１または１２に記載の方法のうちの１つを実行および／または制御させる、プログラム製品。
【請求項１５】
請求項１４に記載のプログラム製品および／または制御回路によって実行可能なコードを搬送および／または記憶するキャリア媒体であって、前記コードが、前記制御回路に、請求項１から５または１１または１２に記載の方法のうちの１つを実行および／または制御させる、キャリア媒体。
【発明の詳細な説明】
【技術分野】
【０００１】
本開示は、ワイヤレス通信技術に関し、特に、デュアルコネクティビティの状況に関する。
【背景技術】
【０００２】
デュアルコネクティビティ（ＤＣ）では、ＵＥ（端末と呼ぶこともある）は、それぞれがデュアルコネクティビティの「レグ」を提供しているように見えることがある、メイン／マスタｅＮＢ（ＭｅＮＢ）および２次ｅＮＢ（ＳｅＮＢ）、または１次および２次、またはアンカおよびブースタと呼ばれることもある２つ以上のネットワークノードによるサーブされることができる。ＵＥは、ＭｅＮＢおよびＳｅＮＢのＰＣＣ（１次コンポーネントキャリア）または１次セル（ＰＣｅｌｌ）を有するように設定することができる。ＭｅＮＢのＰＣｅｌｌおよびＳｅＮＢのＰＣｅｌｌは、それぞれＰＣｅｌｌおよびＰＳＣｅｌｌ（１次２次セル）と呼ばれる。ＰＣｅｌｌおよびＰＳＣｅｌｌは、通常は、互いに独立して端末またはＵＥを動作させる。端末またはＵＥは、ＭｅＮＢおよびＳｅＮＢのそれぞれの１つまたは複数のＳＣＣ（２次コンポーネントキャリア。ＰＣｅｌｌまたはＰＳＣｅｌｌなどの１次セルと関連付けられたキャリアアグリゲートの２次セル）を有するように設定することもできる。ＭｅＮＢおよびＳｅＮＢによってサーブされる対応する２次サービングセルは、ＳＣｅｌｌと呼ばれることもある。ＤＣの端末またはＵＥは、通常は、関連するマスタセルグループのＭｅＮＢおよび関連する２次セルグループのＳｅＮＢとの各接続ごとに別個のＴＸ／ＲＸ（送信機／受信機）を有する。これにより、ＭｅＮＢおよびＳｅＮＢは、それぞれＰＣｅｌｌおよびＰＳＣｅｌｌに対する例えば無線リンクモニタリング（ＲＬＭ）、ＤＲＸサイクルなどの１つまたは複数の手続きで、端末またはＵＥのためのリソースを独立して設定／制御／スケジューリングすることができる。
【０００３】
シングルコネクティビティ状態と同様に、端末は、デュアルコネクティビティの各レグに関連するセル（セルグループ）またはキャリア（キャリアグループ）についてのその送信パワーに関する制限（例えば、法的な制限および／または標準によって規定される制限）を受けることがある。
【発明の概要】
【０００４】
本開示の目的は、デュアルコネクティビティにおける端末の送信パワーの決定を可能にする手法を提供することである。
【０００５】
図面は、例示を目的として与えたものであり、示す実施形態に手法を限定するためのものではない。
【図面の簡単な説明】
【０００６】
【図１】デュアルコネクティビティの配備シナリオを示す図である。
【図２】同期モードのデュアルコネクティビティおよび非同期モードのデュアルコネクティビティにおける最大受信タイミング差の例を示す図である。
【図３（ａ）】ＭＣＧのサブフレームとＳＣＧのサブフレームの間の様々なレベルのサブフレームタイミングの不一致を示す図である。
【図３（ｂ）】ＭＣＧのサブフレームとＳＣＧのサブフレームの間の様々なレベルのサブフレームタイミングの不一致を示す図である。
【図３（ｃ）】ＭＣＧのサブフレームとＳＣＧのサブフレームの間の様々なレベルのサブフレームタイミングの不一致を示す図である。
【図４（ａ）】サブフレームのペアリングの例を示す図である。
【図４（ｂ）】サブフレームのペアリングの例を示す図である。
【図５】例示的な端末を示す図である。
【図６】例示的なネットワークノードを示す図である。
【図７】端末を動作させる方法の例を示す図である。
【図８】端末の例を示す図である。
【図９】ネットワークノードを動作させる方法の例を示す図である。
【図１０】ネットワークノードの例を示す図である。
【発明を実施するための形態】
【０００７】
以下では、「ＵＥ」または「ユーザ機器」は、端末の意味で交換可能に使用されることがあり、「ｅノードＢ」は、ネットワークノードの意味で交換可能に使用されることがあり、またその逆のこともある。言及するサブクローズは、関係する３ＧＰＰ／ＬＴＥの仕様に関する。
【０００８】
図１は、デュアルコネクティビティの配備シナリオを示す図である。
【０００９】
さらに詳細には、デュアルコネクティビティ（ＤＣ）は、端末またはＵＥがマスタセルグループ（ＭＣＧ）および２次セルグループ（ＳＣＧ）を有する設定になっている、特にＲＲＣ＿ＣＯＮＮＥＣＴＥＤ状態の端末またはＵＥの動作モードである。セルグループ（ＣＧ）とは、ＭｅＮＢまたはＳｅＮＢのいずれかと関連付けられたサービングセルのグループである。ＭＣＧおよびＳＣＧは、以下のように規定される。
メインセルグループ（ＭＣＧ）は、ＰＣｅｌｌおよび任意選択で１つまたは複数のＳＣｅｌｌを含む、ＭｅＮＢと関連付けられたサービングセルのグループである。
２次セルグループ（ＳＣＧ）は、ｐＳＣｅｌｌ（１次ＳＣｅｌｌ）および任意選択で１つまたは複数のＳＣｅｌｌを含む、ＳｅＮＢと関連付けられたサービングセルのグループである。
【００１０】
２種類の動作モードを考慮することができる。以下のように、第１の種類の動作モードは、３ＧＰＰ  ＥＵＴＲＡ  Ｒｅｌ．１２で実装され、もう一方は、同標準のその後のリリースで実施される。
【００１１】
同期動作。ＭｅＮＢおよびＳｅＮＢのダウンリンクタイミングを、ＯＦＤＭシンボルの約半分（約±３３μｓ）までに同期させる。これは、同期ＤＣ動作をサポートする端末またはＵＥは、ＭＣＧおよびＳＣＧからの信号を±３３μｓ以内に受信することができなければならないことを意味する。さらに詳細には、同期ＤＣ動作では、ＵＥがＭｅＮＢから（すなわちＭＣＧのサービングセルから）受信する信号とＳｅＮＢから（すなわちＳＣＧのサービングセルから）受信する信号との間の時間差（Δτ）は、第１の限界（Γ１）または第１のしきい値（例えば±３３μｓ以内）以内でなければならない。
【００１２】
非同期動作。ＭｅＮＢおよびＳｅＮＢのダウンリンクタイミングを、サブフレームの半分（±５００μｓ）までに同期させる。これは、非同期ＤＣ動作をサポートするＵＥは、ＭＣＧおよびＳＣＧからの信号を±５００μｓ以内に受信することができなければならないことを意味する。さらに詳細には、非同期ＤＣ動作では、「Δτ」は、第２の限界（Γ２）または第２のしきい値（例えば±５００μｓ以内）以内でなければならず、ここで、｜Γ２｜＞｜Γ１｜である。いくつかの例示的な実施形態では、「Δτ」がΓ１の外部にある場合に、ＤＣ動作を非同期と見なすこともある。また、いくつかの例示的な実施形態では、「Δτ」が任意の値を有することができる場合に、ＤＣ動作を非同期と見なすこともある。
【００１３】
図２は、同期モードおよび非同期モードのデュアルコネクティビティにおける最大受信タイミング差を示す図である。
【００１４】
以下、アップリンクパワー制御について論じる。アップリンクパワー制御は、ほとんどの現在の通信システムで採用されている無線リソース管理において重要な役割を果たす。アップリンクパワー制御は、リンク品質を維持する必要と、システムの他のユーザとの干渉を最小限に抑え、かつ端末のバッテリ寿命を最大限に伸ばす必要との兼ね合いを図るものである。
【００１５】
ＬＴＥでは、パワー制御の目的は、ＳＣ−ＦＤＭＡシンボルにわたる平均パワーを決定することであり、パワー制御は、共通チャネルおよび個別チャネル（ＰＵＣＣＨ／ＰＵＳＣＨ／ＳＲＳ）の両方に適用される。複合型開ループ／閉ループパワー制御は、以下のように規定することができる。
【００１６】
開ループパワー制御。端末またはＵＥは、パスロス推定と、セル内の全てのＵＥまたは端末に共通の公称パワーレベルおよび端末またはＵＥに特有のオフセットを含むｅノードＢ制御準静的ベースレベル（Ｐ０）とに基づいて基本開ループ設定点を計算する。
【００１７】
閉ループパワー制御。ネットワークノードまたはｅノードＢは、設定点を基準とする動的調整を更新する。端末またはＵＥは、ネットワークノード／ｅノードＢから送信される、例えばＴＰＣ（送信パワー制御）コマンドなどのコマンドに基づいて、送信パワーを調整する。パワー制御を、アップリンク送信に使用される変調および符号化方式に関連付けることも可能である。
2020115645.tif 000003
【００１８】
本明細書では、Ｐ０は、開ループ部分の制御値を表し、αは、０から１の間のパラメータであり、ＰＬは、パスロス補正を表す。以下、ＰＵＳＣＨおよびＰＵＣＣＨのアップリンクパワー制御について論じる。アップリンクパワー制御は、ＰＵＳＣＨおよびＰＵＣＣＨの両方に対して使用される。その目的は、ＵＥまたは端末または移動端末が、送信パワーが高過ぎるとネットワーク中の他のユーザとの干渉が増大し、端末のバッテリが消耗することから、十分に高いパワーではあるが高過ぎないパワーで、送信することを保証することである。どちらの場合も、閉ループ機構と組み合わせたパラメータ化した開ループを、一般に使用することができる。簡単に述べると、開ループ部分は、閉ループ構成要素がその周辺で動作する動作点を設定するために使用される。ユーザおよび制御面についての様々なパラメータ（目標および「部分的補償因子」）を使用することができる。
【００１９】
さらに詳細には、ＰＵＳＣＨについては、端末は、
ＰＰＵＳＣＨｃ（ｉ）＝ｍｉｎ｛ＰＭＡＸｃ、１０ｌｏｇ１０（ＭＰＵＳＣＨｃ（ｉ））＋ＰＯ＿ＰＵＳＣＨｃ（ｊ）＋αｃ・ＰＬｃ＋ΔＴＦｃ（ｉ）＋ｆｃ（ｉ）｝  ［ｄＢｍ］
に従って、出力パワーを設定する。ここで、ＰＭＡＸｃは、移動端末の最大送信パワーであり、ＭＰＵＳＣＨｃ（ｉ）は、割り当てられるリソースブロックの数であり、ＰＯ＿ＰＵＳＣＨｃ（ｊ）およびαｃは、目標受信パワーを制御し、ＰＬｃは、推定パスロスであり、ΔＴＦｃ（ｉ）は、トランスポートフォーマット補償であり、ｆｃ（ｉ）は、ＵＥ特有オフセットまたは「閉ループ補正」である（関数ｆｃは、絶対オフセットまたは累積オフセットを表す可能性がある）。指標ｃは、コンポーネントキャリアの番号であり、キャリアアグリゲーションの場合に関係してくる。
【００２０】
閉ループパワー制御は、累積的または絶対的という２つの異なるモードで運用することができる。両モードともに、ダウンリンク制御シグナリングの一部であるコマンドによって表すことができるＴＰＣ（送信パワー制御）に基づく。絶対パワー制御を使用するときには、閉ループ補正関数は、新たなパワー制御コマンドが受信される度にリセットされる。累積パワー制御を使用するときには、パワー制御コマンドは、それまでに累積された閉ループ補正に関するデルタ補正である。
【００２１】
累積パワー制御コマンドは、以下のように規定される。
ｆｃ（ｉ）＝ｆｃ（ｉ−１）＋δＰＵＳＣＨｃ（ｉ−ＫＰＵＳＣＨ）
ここで、δＰＵＳＣＨｃは、現在のサブフレームｉの前のＫＰＵＳＣＨサブフレームで受信されるＴＰＣコマンドを表し、ｆｃ（ｉ−１）は、累積パワー制御値である。
【００２２】
絶対パワー制御では記憶がなく、
ｆｃ（ｉ）＝δＰＵＳＣＨｃ（ｉ−ＫＰＵＳＣＨ）が成り立つものと仮定することができる。
【００２３】
ＰＵＣＣＨパワー制御は、ＰＵＣＣＨがフルパスロス補償のみを有する、すなわち、α＝１の場合のみをカバーすることを除いて、原則的に同じ設定可能パラメータを有する。
【００２４】
以下、設定送信パワーＰＣＭＡＸについて述べる。設定送信パワーＰＣＭＡＸは、次のように規定することができる。すなわち、ＵＥは、サービングセルｃについて、その設定最大出力パワーＰＣＭＡＸ、ｃを設定することができる。設定最大出力パワーＰＣＭＡＸ、ｃは、以下の境界内で設定される。
ＰＣＭＡＸ＿Ｌ、ｃ≦ＰＣＭＡＸ、ｃ≦ＰＣＭＡＸ＿Ｈ、ｃ
ここで、ＰＣＭＡＸ＿Ｌ、ｃ＝ＭＩＮ｛ＰＥＭＡＸ、ｃ−ΔＴＣ、ｃ、ＰＰｏｗｅｒＣｌａｓｓ−ＭＡＸ（ＭＰＲｃ＋Ａ−ＭＰＲｃ＋ΔＴＩＢ、ｃ＋ΔＴＣ、ｃ、Ｐ−ＭＰＲｃ）｝
ＰＣＭＡＸ＿Ｈ、ｃ＝ＭＩＮ｛ＰＥＭＡＸ、ｃ、ＰＰｏｗｅｒＣｌａｓｓ｝
ここで、
ＰＥＭＡＸ、ｃは、サービングセルｃについてＩＥ  Ｐ−Ｍａｘによって与えられる値であり、
ＰＰｏｗｅｒＣｌａｓｓは、この標準で指定される許容差を考慮しない、この標準で指定される最大ＵＥパワーであり、
サービングセルｃについてのＭＰＲｃおよびＡ−ＭＰＲｃは、それぞれサブクローズ６．２．３および６．２．４に指定されており、
ΔＴＩＢ、ｃは、表６．２．５−２に指定されるサービングセルｃについての追加の許容差であり、それ以外の場合は、ΔＴＩＢ、ｃ＝０ｄＢであり、
表６．２．２−１の注記２が当てはまるときには、ΔＴＣ、ｃ＝１．５ｄＢであり、
表６．２．２−１の注記２が当てはまらないときには、ΔＴＣ、ｃ＝０ｄＢである。
【００２５】
Ｐ−ＭＰＲｃは、
ａ）適用可能な電磁エネルギー吸収要件に準拠することを保証し、３ＧＰＰ  ＲＡＮ仕様の範囲外のシナリオで複数のＲＡＴ上で同時送信を行う場合の不要放射／自己感度低下の要件に対処し、
ｂ）より低い最大出力パワーを求める要件に対処するために近接検出を使用する場合に適用可能な電磁エネルギー吸収要件に準拠することを保証する
ための、許容最大出力パワー低下である。
【００２６】
ＵＥは、サービングセルｃのＰ−ＭＰＲｃを、上記の場合のみに適用するものとする。ＵＥによって行われる適合性検査では、Ｐ−ＭＰＲは、０ｄＢであるものとする。
【００２７】
Ｐ−ＭＰＲｃは、ＰＣＭＡＸ、ｃの数式に導入されているので、ＵＥは、ｅＮＢに利用可能な最大出力送信パワーを報告することができる。この情報を、ｅＮＢは、スケジューリングの判断に使用することができる。
【００２８】
Ｐ−ＭＰＲｃは、選択されたＵＬ送信パスの最大アップリンク性能に影響を及ぼす可能性がある。
【００２９】
各サブフレームについて、サービングセルｃのＰＣＭＡＸ＿Ｌ、ｃは、スロットごとに評価され、そのスロット内の１回または複数回の送信にわたって取られる最小値によって与えられる。２つのスロットにわたる最小ＰＣＭＡＸ＿Ｌ、ｃを、次いで、サブフレーム全体に適用する。いかなる期間中にも、ＵＥはＰＰｏｗｅｒＣｌａｓｓを超えないものとする。
【００３０】
測定した設定最大出力パワーＰＵＭＡＸ、ｃは、以下の境界内であるものとする。
ＰＣＭＡＸ＿Ｌ、ｃ−ＭＡＸ｛ＴＬ、Ｔ（ＰＣＭＡＸ＿Ｌ、ｃ）｝≦ＰＵＭＡＸ、ｃ≦ＰＣＭＡＸ＿Ｈ、ｃ＋Ｔ（ＰＣＭＡＸ＿Ｈ、ｃ）
ここで、Ｔ（ＰＣＭＡＸ、ｃ）は、以下の許容差表によって規定され、ＰＣＭＡＸ＿Ｌ、ｃおよびＰＣＭＡＸ＿Ｈ、ｃに別々に当てはまるが、ＴＬは、適用可能な動作帯域についての表６．２．２−１の低い方の許容差の絶対値である。
2020115645.tif 000004
【００３１】
アップリンクが１つのＥ−ＵＴＲＡ帯域に割り当てられた帯域間キャリアアグリゲーション構成をサポートする端末またはＵＥでは、ΔＴＩＢ、ｃは、表６．２．５−２中の適用可能な帯域について規定される。
【００３２】
既存のＰＣＭＡＸの規定は、同期マルチキャリアの場合、すなわち２つ以上のＵＬキャリアが時間同期している、またはそれらの送信時間差が通常は例えばＣＰ長以内であるなど非常に小さい場合しかカバーしていない。しかし、独立したタイミングアドバンスコマンド（例えばｐＴＡＧおよびｓＴＡＧ）によるＣＡのＣＣ間のＵＬ送信時間差（Δμ）は、大きくなる可能性がある。最大許容ＵＬ時間差は、ＴＳ３６．１３３  Ｖ１２．５．０のセクション７．９に規定されるように、約３２．５μｓに制限される可能性がある。
【００３３】
ＣＡ中の、または同期ＤＣ動作中のＵＥは、最大ＵＬ時間差が最大で３２．５μｓ程度である場合でも、依然として既存のＰＣＭＡＸパラメータに基づいてＵＬパワー制御を実行することができる。
【００３４】
しかし、受信時間差（Δτ）が約±５００μｓである非同期ＤＣ動作中には、ＵＥは、既存の３２．５μｓという送信タイミングウィンドウのかなり外側で、ＳＣＧおよびＭＣＧに属するＣＣ上で信号を送信する必要がある。例えば、Δμの大きさは、５００μｓである可能性があり、ＵＥがＵＬ  ＣＣに適用しなければならない独立したＴＡコマンド（すなわちＭＣＧのＣＣにはＴＡ１、ＳＣＧのＣＣにはＴＡ２）によりさらに大きくなる可能性もある。ＵＥがＣＣ上のＰＣＭＡＸを導出する方法も含めた現在のパワー制御要件は、ＣＣのＵＬ送信タイミングが３２．５μｓを超えてずれるときには適当でない。
【００３５】
以下のように、非同期デュアルコネクティビティのためのワイヤレス通信ネットワークならびにノードおよび端末を運用する様々な方法について述べる。
（１）デュアルコネクティビティ計算のためにサブフレーム対を規定する方法が規定されている。
（２）サブフレームごと、およびスロットごとにＰＣＭＡＸ計算を規定する方法が規定されている。
（３）ネットワーク誘導に基づいてＰＣＭＡＸ規定を強化する方法。
（４）ＵＥが非同期ＤＣ動作に設定されるか同期ＤＣ動作に設定されるかに応じて、ＰＣＭＡＸを導出するための第１の方法または方式と第２の方法または方式との間で適合を行う方法。
（５）１実施形態では、ＤＣに設定された、または設定されているＵＥにおける方法は、
ＵＥがＤＣで動作するように設定される同期レベルについての情報を取得するステップと、
同期レベルの大きさがしきい値（例えば２００μｓ）を超える場合に、異なるＣＧ、すなわちＭＣＧおよびＳＣＧに属する少なくとも部分的に重複するサブフレームまたはスロットの対のうちのどの１つのサブフレームまたはタイムスロットが時間的に先行しているかを決定するステップと、
少なくとも決定した先行するサブフレームまたはタイムスロットに基づいて、各ＣＧのＰＣＭＡＸを計算または導出するステップと、
各ＣＧのＰＣＭＡＸの計算または導出した値に基づいて、各ＣＧでアップリンク信号を送信するステップとを含む。
【００３６】
別の実施形態では、ＤＣに設定された、または設定されているＵＥにおける方法は、
ＵＥがＤＣで動作するように設定される同期レベルについての情報を取得するステップと、
取得した同期レベルの情報に基づいて、ＰＣＭＡＸを計算または導出する第１の方法または第２の方法を選択するステップと、
選択した方法に基づいてＰＣＭＡＸを計算または導出するステップと、
各ＣＧのＰＣＭＡＸの計算または導出した値に基づいて、各ＣＧでアップリンク信号を送信するステップとを含む。
【００３７】
本明細書では、非同期デュアルコネクティビティ方式の設定送信パワーを規定する。さらに、ＰＣＭＡＸ規定の何らかの強化も提案する。
【００３８】
各ＣＧでＵＬ信号を送信するために使用されるＰＣＭＡＸを基準とする端末またはＵＥの挙動は、全てのＵＥについて十分に指定され、整合性がある。
【００３９】
利用可能なＵＥ出力パワーは、より効率的に使用することができる。
【００４０】
本セクションでは、主として、デュアルリンク（１つのＭＣＧおよび１つのＳＣＧとのデュアルコネクティビティ）を有するシステムについて述べる。一般に、本開示に記載する解決策は、例えば複数の２次セルグループを有する場合など、マルチプルコネクティビティを有する場合に容易に適用することができる。
【００４１】
「ネットワークノード」という一般用語を使用することがあるが、これは、ＵＥおよび／または別のネットワークノードと通信する任意のタイプの無線ネットワークノードまたは任意のネットワークノードに対応することができる。ネットワークノードの例は、ノードＢ、ＭｅＮＢ、ＳｅＮＢ、ＭＣＧまたはＳＣＧに属するネットワークノード、基地局（ＢＳ）、ＭＳＲ  ＢＳなどのマルチスタンダード無線（ＭＳＲ）無線ノード、ｅノードＢ、ネットワーク制御装置、無線ネットワーク制御装置（ＲＮＣ）、基地局制御装置（ＢＳＣ）、中継器、ドナーノード制御中継器、ベーストランシーバ局（ＢＴＳ）、アクセスポイント（ＡＰ）、送信ポイント、送信ノード、ＲＲＵ、ＲＲＨ、分散アンテナシステム（ＤＡＳ）のノード、コアネットワークノード（例えばＭＳＣ、ＭＭＥなど）、Ｏ＆Ｍ、ＯＳＳ、ＳＯＮ、位置決定ノード（例えばＥ−ＳＭＬＣ）、ＭＤＴなどである。
【００４２】
端末またはユーザ機器（ＵＥ）という用語を使用することがあるが、これらは、ネットワークノードおよび／あるいはセルラまたは移動体通信システムの別の端末またはＵＥと通信する任意のタイプのワイヤレスデバイスを指すことができる。端末またはＵＥの例は、目標デバイス、デバイスツーデバイス（Ｄ２Ｄ）ＵＥ、マシンタイプＵＥまたはマシンツーマシン（Ｍ２Ｍ）通信を行うことができるＵＥ、ＰＤＡ、ＰＡＤ、タブレット、移動端末、スマートフォン、ラップトップ組込型機器（ＬＥＥ）、ラップトップ搭載型機器（ＬＭＥ）、ＵＳＢドングルなどである。
【００４３】
端末またはＵＥをサブフレーム対および参照サブフレームを決定するように動作させる方法について述べる。
【００４４】
デュアルコネクティビティでは、以下が成り立つ可能性がある。
１．ＳＦＮアラインメント（共通のタイミング／周波数基準への同期）が、ＭＣＧとＳＣＧの間で可能でないことがあり、かつ／または
２．ＭｅＮＢ（例えばマスタネットワークノードのもの）とＳｅＮＢ（例えば２次ネットワークノードのもの）からのサブフレームレベルの信号の間に、例えば最大値５００μｓなど、有意な、または最大の受信タイミング差があることがある。これは、デュアルコネクティビティにおいて、マスタネットワークノードと関連付けられたＭＣＧを介して端末が受信または送信する信号と、２次ネットワークノードと関連付けられたＳＣＧを介して端末が受信または送信する信号とが非同期になることにつながる可能性がある。
【００４５】
図３に示すように、タイミングの違いによるＵＥにおけるＭＣＧからの受信または送信信号とＳＣＧからの受信または送信信号との間のサブフレーム境界の不一致には、主に３つの可能性がある。すなわち、
（１）不一致が例えば５００μｓの最大値未満であるとき（さらに拡大して、同期している場合もこれに含まれる）、
（２）不一致が例えば５００μｓの最大値超であるとき（時間領域におけるサブフレームの始点を指す）
（３）不一致が正確に例えば５００μｓの最大値である（これは、実際は理論上の場合であり、可能性は０．２％程度と極めて低い）、である。
【００４６】
サブフレーム境界の不一致のこれらの異なる可能性により、非同期ＤＣ動作では、ＰＣＭＡＸは、ＵＥが、ネットワークノードのうちの少なくとも１つから受信する規則および／または情報に基づいて導出する必要がある。非同期ＤＣ動作中の端末またはＵＥは、この導出したＰＣＭＡＸ値を使用して、ＵＬでの送信を行い、かつ／またはＵＬパワー制御を実行することになる。これ以前のセクションで詳述したこれらの原理は、非同期ＤＣ動作では「Δτ」の任意の値に当てはまることができる。これらの原理は、任意の種類のＤＣ動作に広く利用することもできる。
【００４７】
デュアルコネクティビティのＰＣＭＡＸを規定するために、互いに比較するためのそれぞれＭＣＧおよびＳＣＧの２つのサブフレームを特定することができる。
【００４８】
図３は、ＭＣＧのサブフレームとＳＣＧのサブフレームのそれぞれの間の様々なレベルのサブフレームタイミングの不一致を示す図である。
【００４９】
図３の例示に基づくと、ＰＣＭＡＸを規定するために考慮すべきサブフレーム対を見つけることは、困難である可能性がある。
【００５０】
一般に、サブフレーム対は、ＰＣＭＡＸを規定するために一緒に考慮すべき、２つの参照サブフレーム（ＭＣＧおよびＳＣＧにそれぞれ１つずつ）を含むことができる。図４（ａ）の場合には、ＭＣＧのサブフレームｉとＳＣＧのサブフレームｊとが、サブフレーム対を構成している。同様に、図４（ｂ）では、ＭＣＧのサブフレームｉとＳＣＧのサブフレームｊ−１とが、サブフレーム対を構成している。サブフレーム対を構成するために、ＵＥは、それぞれのスロット１（すなわちサブフレーム中の第１のタイムスロット）が互いに重複するＭＣＧおよびＳＣＧ中のサブフレームを考慮する。このようにして、常に、サブフレーム対を構成するのにサブフレームの始点を考慮する。一般に、ＭＣＧの、かつ／またはＭＣＧによるサブフレームと、ＳＣＧの、かつ／またはＳＣＧによるサブフレームとを含む、比較するサブフレームの対を規定することができる。ＭＣＧまたはＳＣＧの一方のサブフレームのうちの１つのスロット１を選択することができる。この対の関連するサブフレームとして、他方のグループ（それぞれＳＣＧまたはＭＣＧ）のサブフレームを選択することができ、そのスロット１は選択したスロット１と重複する。選択されるスロット１は、時間的に先行するセルグループ（ＭＣＧまたはＳＣＧ）から選択してもよい。比較では、選択したスロット１と重複するサブフレームの部分を考慮すればよい。
【００５１】
以上の議論に基づき、以下の主要な原理に基づいて、ＰＣＭＡＸを導出することができる。
１．それぞれのスロット１で別のＣＧのサブフレームと重複する１つのＣＧのサブフレームを、ＣＧ同士の間で互いに対にするものとする。
２．先行するＣＧ、すなわちサブフレーム対の他方のサブフレームと比較して時間的に先行しているサブフレームを有するＣＧを、常に参照サブフレームとする。参照サブフレームは、端末／ＵＥごとに計算したＰＣＭＡＸが端末／ＵＥによって適用されるサブフレームであることもある。これについて、以下に例を取って説明する。
ａ．サブフレームｐとサブフレームｑが、それぞれＭＣＧとＳＣＧのサブフレーム対である場合、
Ｉ．ＭＣＧが先行する場合には、ＭＣＧのサブフレームｐと、ＳＣＧのサブフレームｑ−１およびｑとが、ＰＣＭＡＸの規定のために、すなわちＰＣＭＡＸの値を導出するために考慮され、
ＩＩ．ＳＣＧが先行する場合には、ＭＣＧのサブフレームｐおよびｐ−１と、ＳＣＧのサブフレームｑとが、ＰＣＭＡＸの規定のために、すなわちＰＣＭＡＸの値を導出するために考慮される。
【００５２】
以下、ＵＥにおいてサブフレームごとに計算することによってＰＣＭＡＸを規定する方法について論じる。非同期デュアルコネクティビティでは、以下のサブフレームを考慮することができる。
2020115645.tif 000005
【００５３】
表１は、サブフレーム対中のサブフレーム番号およびＰＣＭＡＸを規定または決定するための参照サブフレームを示している。この表は、図４（ａ）および図４（ｂ）に示す例のサブフレーム対を簡潔に要約したものである。第１の場合（すなわちＭＣＧが先行する場合）には、ＭＣＧのｐ番目のサブフレームが参照サブフレームであり、第２の場合（すなわちＳＣＧが先行する場合）には、ＳＣＧのｑ番目のサブフレームが参照サブフレームである。参照サブフレームは、ＵＥごとに計算したＰＣＭＡＸが適用されるサブフレームである。
【００５４】
総設定最大出力パワーＰＣＭＡＸは、以下の境界内で設定することができる。
ＰＣＭＡＸ＿Ｌ≦ＰＣＭＡＸ≦ＰＣＭＡＸ＿Ｈ
ここで、
2020115645.tif 000006
である。
【００５５】
ここで、上述のＰＣＭＡＸは、参照サブフレーム、すなわちＭＣＧが先行する場合にはｐ番目のサブフレームに、ＳＣＧが先行する場合にはｑ番目のサブフレームに適用される。ＰＣＭＡＸ＿Ｌ、ａ（ｂ）およびＰＣＭＡＸ＿Ｈ、ａ（ｂ）は、サブフレームｂ上のＣＧａの、ＰＣＭＡＸ、ｃのそれぞれ下限および上限である。
【００５６】
ＰＣＭＡＸ＿Ｌ、ａ（ｂ）は、以下のように規定される。
2020115645.tif 000007
ここで、上記の式中のＰＥＭＡＸ、ｃ∈ａ、ΔｔＣ、ｃ∈ａ、ΔｔＩＢ、ｃ∈ａ、およびその他のパラメータは、サブフレームｂのＣＧａ中のサービングセルｃについて規定される。
【００５７】
同様に、ＰＣＭＡＸ＿Ｈ、ａ（ｂ）は、以下のように規定される。
2020115645.tif 000008
ＰＣＭＡＸが規定されると、測定した設定最大出力ＰＵＭＡＸを、参照サブフレームについてＵＥごとに規定することができる。
【００５８】
以下、ＵＥにおいてスロットごとに計算することによってＰＣＭＡＸを規定する方法について述べる。変形形態では、ＰＣＭＡＸ計算は、サブフレームレベルではなく、スロットごとに行うことができる。この場合には、サブフレームレベルに基づくＰＣＭＡＸ計算についての上述の原理は、スロットごとのＰＣＭＡＸ計算にも当てはまる。ＵＬ送信では、計算または導出したＰＣＭＡＸを、ＵＥは先行するＣＧの第１のスロットを含む参照サブフレームにも適用する。
【００５９】
図３は、ＰＣＭＡＸのスロットごとの計算の例を示している。
【００６０】
図３に示すように、ＰＣＭＡＸ＿Ｌは、以下のように規定することができる。
2020115645.tif 000009
同様に、ＰＣＭＡＸ＿Ｈは、以下のように規定することができる。
2020115645.tif 000010
【００６１】
上記のいずれの式でも、ＰＣＭＡＸ＿Ｌ、ａ（ｂ、ｃ）およびＰＣＭＡＸ＿Ｈ、ａ（ｂ、ｃ）は、サブフレームｂおよびスロットｃのＣＧａの低い方および高い方のＰＣＭＡＸを示す。
【００６２】
以下、ＵＥにおいてＰＣＭＡＸの規定を強化する方法について述べる。Ｒｅｌ−１２  ＬＴＥシステムでは、ＭｅＮＢが、ＵＥに、ＭｅＮＢに信号を送信するために割り当てるべきＰＣＭＡＸとＳｅＮＢに信号を送信するための残りのパワーとの比に関する誘導を提供する。
【００６３】
例えば、ＭｅＮＢは、１つまたは複数のパラメータを用いて、上位レイヤシグナリングを介して、ＭＣＧおよびＳＣＧについてそれぞれＵＥの送信パワーの総量のＵ％およびＶ％など各ＣＧ内で特定の限界までの送信パワーに、端末またはＵＥを設定することができる。ここでは、Ｕ＋Ｖ＝１００である。
【００６４】
ＵＥは、ＵＥが同期ＤＣシナリオで動作するか、非同期ＤＣシナリオで動作するかに関わらず、ＭＣＧおよびＳＣＧで送信するために、異なるＣＧのＰＣＭＡＸの比またはそれに類するパラメータ（例えば、上述のＵ、Ｖなど）に設定される。
【００６５】
この場合には、ＰＣＭＡＸの比またはそれに類するパラメータを考慮に入れて、各ＣＧのＰＣＭＡＸをさらに計算する、導出する、または適合させる。ＵＥは、次いで、各ＣＧのＰＣＭＡＸの導出した値を使用して送信を行う。
【００６６】
異なるＣＧのＰＣＭＡＸの得られた比またはそれに類するパラメータに応答したＰＣＭＡＸのさらなる適合は、ＵＥが非同期ＤＣ動作で動作するように設定されるか、同期ＤＣ動作で動作するように設定されるかに関わらず、ＵＥによって実行される。以下、このＰＣＭＡＸのさらなる適合について述べる。αは、ＰＭｅＮＢとＰＳｅＮＢ（特に端末／ＵＥによるＵＬ送信のための、それぞれＭｅＮＢおよびＳｅＮＢの設定最大送信パワー）の比を表すことができ、ここで、
ＰＭｅＮＢ＝αＰＰｏｗｅｒＣｌａｓｓ
ＰＳｅＮＢ＝（１−α）ＰＰｏｗｅｒＣｌａｓｓ
であり、αは、０から１の間の任意の値（上述したようなＵおよびＶに対応する）とすることができる。ＰＰｏｗｅｒＣｌａｓｓは、一般に、関連する標準で規定される所与のクラスの端末またはＵＥの利用可能な／許容されたパワーを指すことができる。ｘ＝ＭｅＮＢ、ｙ＝ＳｅＮＢと表すと、ＭＣＧが先行するときには、ＰＣＭＡＸ＿Ｌ、ｘおよびＰＣＭＡＸ＿Ｌ、ｙは、以下のように規定することができる。
2020115645.tif 000011
同様に、ＳＣＧが先行するときには、ＰＣＭＡＸ＿Ｌ、ｘおよびＰＣＭＡＸ＿Ｌ、ｙは、以下のように規定することができる。
2020115645.tif 000012
【００６７】
同期ＤＣ動作の場合には、ＭＣＧおよびＳＣＧのいずれのＵＬサブフレームも、他方より先行することはなく、時間的に整列される、または例えば３３μｓなど、特定の限界内にある。同期ＤＣ動作では、ＰＣＭＡＸの適合は、上記の２つの規則（５．４−１および５．４−２）のうちのいずれか一方に基づくことができる。
【００６８】
以下、ＵＥにおいて同期レベルに基づいてＰＣＭＡＸ計算を適合させる方法、または同期レベルに基づいてＰＣＭＡＸ計算を適合させるようにＵＥを動作させる方法について論じる。ＤＣ可能なＵＥ、および／またはＤＣに適合した端末は、ネットワークノード（例えばマスタネットワークノード）によって、様々な同期レベルに設定することができる。例えば、非同期ＤＣシナリオまたは同期ＤＣシナリオの両方で動作することができるＵＥを、ネットワークノードが、非同期ＤＣまたは同期ＤＣのいずれかの動作に、あるいは非同期ＤＣまたは同期ＤＣのいずれかの動作用に、設定することができる。ネットワークノードは、ＤＣに適合することができる、かつ／またはＭＣＧおよびＳＣＧとのデュアルコネクティビティ状態である可能性がある端末を、様々な同期レベルに設定するように適合することができる。
【００６９】
さらに別の実施形態では、端末またはＵＥは、ＵＥがＤＣで動作するように設定される際の同期レベルに基づいてＰＣＭＡＸを計算または導出するための第１の方法と第２の方法との間で適合を行う。例えば、端末またはＵＥは、
同期ＤＣで動作するように設定されているときには、ＰＣＭＡＸを計算または導出する第１の方法を適用することができ、ここで、第１の方法は、上述の同期動作のための既存の方法（すなわち３ＧＰＰ  ＴＳ３６．１０１のセクション６．２．５）であり、
非同期ＤＣで動作するように設定されているときには、ＰＣＭＡＸを計算または導出する第２の方法を適用することができ、ここで、第２の方法は、それ以前のセクションに記載されるサブフレームまたはスロットに基づく非同期動作のための既存の方法である。
【００７０】
同期レベルに関わらず、端末またはＵＥは、上述のように、異なるＣＧのＰＣＭＡＸの得られた比またはそれに類するパラメータに応答して、ＰＣＭＡＸをさらに適合させることができる。ＵＥは、次いで、各ＣＧのＰＣＭＡＸの導出した値を使用して、各ＣＧで送信を行う。
【００７１】
本実施形態に開示する方法を適用するために、ＤＣに設定された、またはＤＣに設定されている端末またはＵＥは、少なくとも、
（例えば端末またはＵＥの取得モジュールが）ＵＥがＤＣで動作するように設定される際の同期レベルについての情報を取得するステップであり、その同期レベルが、例えばＭＣＧおよびＳＣＧなど異なるＣＧからの信号の受信時間差を含むステップと、
（例えば端末またはＵＥの選択モジュールが）取得した情報に基づいてＰＣＭＡＸを計算または導出する第１の方法と第２の方法の間で選択するステップと、
（例えば端末またはＵＥの計算モジュールが）選択した方法に基づいてＰＣＭＡＸを計算または導出するステップとを実行することができる。選択モジュールおよび計算モジュールは、ＰＣＭＡＸを決定する決定モジュールに一体化することもできる。これは、端末を動作させる方法の実装態様と考えることができる。この方法を実行するように適合された端末を考えることができる。
【００７２】
別法として、またはこれに加えて、デュアルコネクティビティ用に適合された端末をワイヤレス通信ネットワークで動作させる方法を考えることができる。この端末は、マスタセルグループ（ＭＣＧ）を介してマスタネットワークノードに接続することができ、２次セルグループ（ＳＣＧ）を介して２次ネットワークノードに接続することができる。この方法は、端末が、同期情報、特にＭＣＧからの信号とＳＣＧからの信号との間の時間差に関する情報を取得することを含むことができる。この方法は、同期情報に基づいてＰＣＭＡＸを決定することをさらに含むことができる。同期情報に基づくＰＣＭＡＸの決定は、同期レベルに応じてＰＣＭＡＸを決定する方法を選択すること、特に本明細書に記載するように第１の方法と第２の方法との間で選択することを含むことができる。第２の方法は、本明細書に記載するように、スロットに基づくまたはサブフレームに基づくことができる。任意選択で、またはこれに加えて、ＰＣＭＡＸの決定は、選択した方法に基づいてＰＣＭＡＸを計算することを含むこともできる。この方法は、決定したＰＣＭＡＸに基づいてＵＬ送信を行うことを含むことができる。
【００７３】
一般に、本明細書に開示するような端末を動作させる方法のうちの任意の１つまたは複数を実行するように適合された端末を考えることができる。
【００７４】
別法として、またはこれに加えて、デュアルコネクティビティに適合された、ワイヤレス通信ネットワーク用の端末を考えることもできる。この端末は、マスタセルグループ（ＭＣＧ）を介してマスタネットワークノードに接続される、または接続可能になり、２次セルグループ（ＳＣＧ）を介して２次ネットワークノードに接続される、または接続可能になるように適合することができ、かつ／あるいはそのようなコネクティビティモジュールを含むことができる。この端末は、同期情報、特にＭＣＧからの信号とＳＣＧからの信号との間の時間差に関する情報を取得するように適合することができ、かつ／あるいはそのような取得モジュールを含むことができる。
【００７５】
この端末は、同期情報に基づいてＰＣＭＡＸを決定するように適合される、かつ／またはそのような決定モジュールを含むことができると考えることができる。同期情報に基づくＰＣＭＡＸの決定は、例えば端末の選択モジュールが、同期レベルに応じてＰＣＭＡＸを決定する方法を選択すること、特に本明細書に記載するように第１の方法と第２の方法との間で選択することを含むことができる。任意選択で、またはこれに加えて、ＰＣＭＡＸの決定は、例えば計算モジュールが、選択した方法に基づいてＰＣＭＡＸを計算することを含むことができる。
【００７６】
端末は、任意選択で、決定したＰＣＭＡＸに基づいてＵＬ送信を行うように適合することができる、かつ／またはそのような送信モジュールを含むことができる。
【００７７】
ネットワークノード、特にマスタネットワークノードおよび／または２次ネットワークノードを動作させる方法を考えることができる。ネットワークノードは、端末とデュアルコネクティビティ状態になることができる。この方法は、ネットワークノードが、端末が設定されるＭＣＧおよびＳＣＧからの信号の間の時間差に関する同期情報を取得することを含むことができる。この方法は、さらに、取得した同期情報を端末に送信することを含むことができる。
【００７８】
ワイヤレス通信ネットワーク用のネットワークノード、特にマスタネットワークノードおよび／または２次ネットワークノードを考えることができる。このネットワークノードは、任意選択で、端末とデュアルコネクティビティ状態になるように適合することができ、かつ／またはそのようなコネクティビティモジュールを含むことができる。
【００７９】
ネットワークノードは、端末が設定されるＭＣＧおよびＳＣＧからの信号の間の時間差に関する同期情報を取得するように適合することができ、かつ／またはそのような取得モジュールを含むことができる。このネットワークノードは、取得した同期情報を端末に送信するようにさらに適合され、かつ／またはそのような送信モジュールをさらに含むと考えることができる。
【００８０】
一般に、本明細書に記載する任意の端末および／またはネットワークノードは、記載する各方法を実行し、かつ／または記載する機能性を提供するように設定された回路、特に制御回路および／または無線回路を含むことができる。
【００８１】
端末あるいはＵＥおよび／またはネットワークノードによる取得は、同期情報、ならびに／あるいはＵＥがＤＣで動作するように設定される同期レベル、および／またはＭＣＧ信号とＳＣＧ信号の間の時間差についての情報を自律的に（例えばＣＧから受信する信号の時間差および／またはＣＧを介して送信する信号の時間差に基づいて）決定または取得すること、ならびに／あるいはネットワークから、例えばマスタネットワークノードまたは２次ネットワークノードなどネットワークノードのうちの１つなどから受信する指示を受信することを含むことができる。
【００８２】
以下、デュアルコネクティビティの設定送信パワーについて論じる。
【００８３】
上記とは無関係に、または上記に加えて、以下のことを考えることができる。セルグループごとに１つのアップリンクキャリアがあるデュアルコネクティビティでは、ＵＥまたは端末は、グループｘおよびｙの各サービングセル上でのその設定最大出力パワーＰＣＭＡＸ、ｃ、ｘおよびＰＣＭＡＸ、ｃ、ｙ、ならびにその総設定最大出力パワーＰＣＭＡＸをセットすることができ、かつ／またはそれらをセットするように適合することができ、かつ／またはそれらをセットするように適合されたパワーセッティングモジュールを含むことができ、かつ／あるいはそれらをセットすることができる。ＵＥまたは端末は、以下の条件および／もしくは規定のうちのいずれか１つもしくはいずれかの組合せに従うことができ、かつ／またはそれに従うように適合することができ、かつ／またはそれに従うように適合されたパワーセッティングモジュールを含むことができ、かつ／あるいはそれに従って動作することができる。
【００８４】
総設定最大出力パワーＰＣＭＡＸは、以下の境界内にセットすることができる、またはセットされるものとする。
ＰＣＭＡＸ＿Ｌ≦ＰＣＭＡＸ≦ＰＣＭＡＸ＿Ｈ
セルグループのアップリンクサービングセル同士の間で同期送信が起こったときには、ＰＣＭＡＸ＿ＬおよびＰＣＭＡＸ＿Ｈはそれぞれ、例えばキャリアアグリゲーションの帯域間のケースのＴＳ３６．１０１のサブクローズ６．２．５Ａなどに標準で規定されていることがある。
【００８５】
ＵＥまたは端末が同期シナリオでデュアルコネクティビティに設定されており、１つのセルグループの任意のサービングセルのサブフレームｐ上のＵＥまたは端末の送信が別のセルグループの異なるサービングセルのサブフレームｑ＋１上の送信の第１のシンボルの一部分と重複する場合には（ここで、サブフレームｐとサブフレームｑとが、ＭＣＧとＳＣＧの間のサブフレーム対である）、サブフレーム対（ｐ、ｑ）および（ｐ＋１、ｑ＋１）のＵＥまたは端末のＰＣＭＡＸ＿Ｌの最小値が、サブフレーム（ｐ、ｑ）および（ｐ＋１、ｑ＋１）の任意の重複する部分にそれぞれ適用される。いかなる期間中も、ＵＥまたは端末はｐＰｏｗｅｒＣｌａｓｓを超えないものと考えることができる。
【００８６】
非同期重複送信が起こったときには、それぞれのスロット１において別のＣＧのサブフレームと重複する１つのＣＧのサブフレームを、ＣＧ間で共に対にしなければならない。端末は、このようなペアリングのために適合させることができ、かつ／または対応するペアリングモジュールを含むことができる。先行するＣＧ、すなわちサブフレーム対の中で他方のサブフレームと比較して時間的に先行するサブフレームを有するＣＧを、参照サブフレームとすることができる。端末またはＵＥは、このように参照サブフレームを決定するように適合することができ、かつ／または対応する照合モジュールを含むことができる。参照サブフレームは、端末またはＵＥごとに計算したＰＣＭＡＸをＵＥまたは端末が適用するサブフレームであり、このＵＥまたは端末は、それに応じて適合することができ、かつ／あるいは対応するＰＣＭＡＸ適用モジュールおよび／または計算モジュールを含むことができる。
【００８７】
サブフレームｐとサブフレームｑがＭＣＧとＳＣＧそれぞれの間のサブフレーム対である場合、
１．ＭＣＧが先行する場合には、ＭＣＧ中のサブフレームｐとＳＣＧ中のサブフレームｑ−１およびｑを、ＰＣＭＡＸを規定するために、すなわちＰＣＭＡＸの値を導出するために考慮する。
２．ＳＣＧが先行する場合には、ＭＣＧ中のサブフレームｐおよびｐ−１とＳＣＧ中のサブフレームｑを、ＰＣＭＡＸを規定するために、すなわちＰＣＭＡＸの値を導出するために考慮する。
【００８８】
２つのセルグループのアップリンクサービングセル間で非同期重複送信が起こり、セルグループｘの参照サブフレームｐがセルグループｙの２つの連続したサブフレームｑ−１およびｑと重複している（またはセルグループｙの参照サブフレームｑがセルグループｘの２つの連続したサブフレームｐ−１およびｐと重複している）ときには、参照サブフレームｐ（または参照サブフレームｑ）の持続時間にわたる上記のＰＣＭＡＸ＿ＬおよびＰＣＭＡＸ＿Ｈは、以下のように規定される。
2020115645.tif 000013
ＰＣＭＡＸ＿Ｌ、ｘ（Ｐ）およびＰＣＭＡＸ＿Ｈ、ｘ（Ｐ）、ＰＣＭＡＸ＿Ｌ、ｙ（Ｐ）およびＰＣＭＡＸ＿Ｈ、ｙ（Ｐ）は、以下のように規定される、それぞれＣＧｘおよびＣＧｙに対する、ＰＣＭＡＸ＿Ｌ、ｃおよびＰＣＭＡＸ＿Ｈ、ｃである。
2020115645.tif 000014
および
2020115645.tif 000015
ここで、上記の式中のＰＥＭＡＸ、ｃ∈ａ、ΔｔＣ、ｃ∈ａ、ΔｔＩＢ、ｃ∈ａ、およびその他のパラメータは、サブフレームｂのＣＧａ中のサービングセルｃについて規定される。
【００８９】
セルグループｉの全てのアップリンクサービングセルにわたるＵＥ測定最大出力パワーＰＵＭＡＸ、ｉは、１つのアップリンクセルがアクティブであれば、規定することができる（例えば、ＴＳ３６．１０１のサブクローズ６．２．５参照）。
【００９０】
規定した両セルグループの全てのサービングセルにわたる参照サブフレームｐ（または参照サブフレームｑ）の持続時間にわたるＵＥ総測定最大出力パワーＰＵＭＡＸは、以下のように規定することができる。
ＰＵＭＡＸ＝ΣＰＵＭＡＸ、ｉ
ＰＣＭＡＸ＿Ｌ−ＴＬＯＷ（ＰＣＭＡＸ＿Ｌ）≦ＰＵＭＡＸ≦ＰＣＭＡＸ＿Ｈ＋ＴＨＩＧＨ（ＰＣＭＡＸ＿Ｈ）
2020115645.tif 000016
【００９１】
本明細書の状況では、ワイヤレス通信は、例えばワイヤレス通信ネットワークにおける、かつ／または無線アクセス技術（ＲＡＴ）を利用した、電磁波および／またはエアインターフェース、特に電波を介した通信、特にデータの送信および／または受信とすることができる。通信は、ワイヤレス通信ネットワークに接続された１つまたは複数の端末、および／あるいはワイヤレス通信ネットワークの、かつ／またはワイヤレス通信ネットワーク内の複数のノードを含み得る。通信中のノードまたは通信用のノード、ならびに／あるいはワイヤレス通信ネットワーク内のノード、ワイヤレス通信ネットワークのノード、またはワイヤレス通信ネットワーク用のノードは、１つまたは複数のＲＡＴ、特にＬＴＥ／Ｅ−ＵＴＲＡを利用した通信用に適合されることが考えられる。
【００９２】
通信は、一般に、メッセージ、特にパケットデータの形態のメッセージを送信および／または受信することを含む可能性がある。メッセージまたはパケットは、制御データ、および／または設定データ、および／またはペイロードデータを含むことができ、かつ／あるいは物理レイヤ送信のバッチを表す、かつ／または含むことができる。制御データおよび／または設定データは、通信のプロセス、ならびに／あるいはその通信のノードおよび／または端末に関するデータを指すことができる。制御データおよび／または設定データは、例えば、通信のノードまたは端末を指すアドレスデータ、ならびに／あるいは送信モード、および／またはスペクトル設定、および／または周波数、および／または符号化、および／またはタイミング、および／または帯域幅に関するデータを、通信または送信のプロセスに関するデータとして、例えばヘッダに含むことができる。通信に関連する各ノードまたは端末は、１つまたは複数の無線アクセス技術を利用および／または実装するように構成することができる、無線回路、および／または制御回路、および／またはアンテナ回路を含むことができる。ノードまたは端末の無線回路は、一般に、電波の送信および／または受信のために適合することができ、特に、アンテナ回路および／または制御回路に接続することができる、または接続可能であることがある、対応する送信機および／または受信機ならびに／あるいはトランシーバを含むことができる。ノードまたは端末の制御回路は、制御装置、ならびに／あるいは読取りおよび／または書込みのアクセスのためにその制御装置がアクセスできるように構成されたメモリを含むことができる。制御装置は、通信および／または無線回路を制御し、かつ／あるいは追加のサービスを提供するように構成することができる。ノードまたは端末の回路、特に例えば制御装置などの制御回路は、本明細書に記載の機能性を提供するようにプログラムすることができる。
【００９３】
対応するプログラムコードは、関連するメモリおよび／または記憶媒体に記憶することができ、かつ／あるいはハードワイヤードにすることができ、かつ／あるいはファームウェアおよび／もしくはソフトウェアとして、かつ／またはハードウェア内に提供することができる。制御装置は、一般に、プロセッサ、および／またはマイクロプロセッサ、および／またはマイクロ制御装置、および／またはＦＰＧＡ（フィールドプログラマブルゲートアレイ）デバイス、および／またはＡＳＩＣ（特定用途向け集積回路）デバイスを含み得る。さらに詳細には、制御回路は、制御装置および／または制御回路が読取りおよび／または書込みのためにアクセスできるように適合することができるメモリを含む、かつ／あるいはメモリに接続することができる、または接続可能にすることができると考えることができる。無線アクセス技術は、一般に、例えばＢｌｕｅｔｏｏｔｈ、および／またはＷｉｆｉ、および／またはＷＩＭＡＸ、および／またはｃｄｍａ２０００、および／またはＧＥＲＡＮ、および／またはＵＴＲＡＮ、および／または特にＥ−Ｕｔｒａｎ、および／またはＬＴＥを含み得る。通信は、特に、論理チャネルならびに／あるいは論理送信および／または受信をその上にインプリントまたは階層化することができる物理レイヤ（ＰＨＹ）送信および／または受信を含み得る。
【００９４】
ワイヤレス通信ネットワークのノードは、端末、および／またはユーザ機器、および／またはネットワークノード、および／または基地局（例えばｅノードＢ）、および／または中継ノード、および／またはワイヤレス通信ネットワークでの通信、特にセルラ通信用に一般に適合された任意のデバイスとして実装することができる。
【００９５】
ワイヤレス通信ネットワークまたはセルラネットワークは、例えばＬＴＥによる例えばエボルブドネットワークコアを備えたコアネットワークなどのコアネットワークに接続することができる、または接続可能にすることができるネットワークノード、特に無線ネットワークノードを含むことができる。ネットワークノードは、例えば基地局とすることができる。ネットワークノードとコアネットワーク／ネットワークコアとの接続は、少なくとも部分的には、ケーブル／陸線接続に基づくことができる。基地局またはｅＮＢより上位の特定のレイヤにおける、かつ／あるいは基地局またはｅＮＢによって提供される既定のセル構造を介する、コアネットワークの一部を伴う信号の操作、および／または通信、および／または交換は、セルラ性のものと考えることができる、またはセルラ動作と呼ぶことができる。
【００９６】
端末は、ユーザ機器として実装することができる。一般に、端末は、ワイヤレス通信の、かつ／もしくはワイヤレス通信ネットワーク用のエンドポイントを提供および／または規定するように適合されると考えることができる。端末またはユーザ機器（ＵＥ）は、一般に、ワイヤレスなデバイスツーデバイス通信用に設定されたデバイス、ならびに／あるいはワイヤレスネットワークおよび／またはセルラネットワーク用の端末、特に例えば携帯電話、スマートフォン、タブレット、ＰＤＡなどの移動体端末とすることができる。ユーザ機器または端末は、例えばそれが別の端末またはノードの何らかの制御および／または中継機能性を引き継ぐ場合には、本明細書に記載するようにワイヤレス通信ネットワークのノード、またはワイヤレス通信ネットワーク用のノードとすることができる。端末またはユーザ機器は、１つまたは複数のＲＡＴ、特にＬＴＥ／Ｅ−ＵＴＲＡ用に適合されると考えることができる。
【００９７】
端末またはユーザ機器は、ワイヤレス通信用の無線回路および／または制御回路を含むと考えることができる。無線回路は、例えば、受信機デバイス、および／または送信機デバイス、および／またはトランシーバデバイスを含むことができる。制御回路は、制御装置を含むことができ、制御装置は、マイクロプロセッサ、および／またはマイクロ制御装置、および／またはＦＰＧＡ（フィールドプログラマブルゲートアレイ）デバイス、および／またはＡＳＩＣ（特定用途向け集積回路）デバイスを含み得る。制御回路は、制御装置および／または制御回路が読取りおよび／または書込みのためにアクセスできるように適合することができるメモリを含む、あるいはそのメモリに接続することができる、または接続可能にすることができると考えることができる。端末またはユーザ機器は、ＬＴＥ／Ｅ−ＵＴＲＡＮ用に適合された端末またはユーザ機器となるように設定されると考えることができる。一般に、端末は、デュアルコネクティビティをサポートするように適合することができる。端末は、独立して動作可能な２つの送信機（またはトランシーバ）回路、および／または独立して動作可能な２つの受信機回路を含むことができ、デュアルコネクティビティでは、端末は、１つの送信機（および／あるいは設けられる場合には受信機またはトランシーバ）を、マスタネットワークノードとの通信に利用し、１つの送信機（および／あるいは設けられる場合には受信機またはトランシーバ）を、２次ネットワークノードとの通信に利用するように適合することができる。端末は、３つ以上のこのような独立して動作可能な回路を含むと考えることもできる。
【００９８】
例えばｅノードＢなどのネットワークノードまたは基地局は、１つまたは複数の端末またはユーザ機器にサーブするように適合された、ワイヤレスネットワークおよび／またはセルラネットワークの任意の種類の基地局とすることができる。基地局は、ワイヤレス通信ネットワークのノードまたはネットワークノードであると考えることができる。ネットワークノードまたは基地局は、ネットワークの１つまたは複数のセルを提供し、かつ／または規定し、かつ／またはそれらにサーブし、かつ／あるいは通信のための周波数および／または時間のリソースをネットワークの１つまたは複数のノードまたは端末に割り当てるように適合することができる。一般に、このような機能性を提供するように適合された任意のノードは、基地局と見なすことができる。基地局、またはより一般的にはネットワークノード、特に無線ネットワークノードは、無縁ワイヤレス通信のための無線回路および／または制御回路を含むと考えることができる。基地局またはネットワークノードは、１つまたは複数のＲＡＴ、特にＬＴＥ／Ｅ−ＵＴＲＡ用に適合されると考えることができる。無線回路は、例えば、受信機デバイス、および／または送信機デバイス、および／またはトランシーバデバイスを含むことができる。制御回路は、制御装置を含むことができ、制御装置は、マイクロプロセッサ、および／またはマイクロ制御装置、および／またはＦＰＧＡ（フィールドプログラマブルゲートアレイ）デバイス、および／またはＡＳＩＣ（特定用途向け集積回路）デバイスを含み得る。制御回路は、制御装置および／または制御回路が読取りおよび／または書込みのためにアクセスできるように適合することができるメモリを含む、あるいはそのメモリに接続することができる、または接続可能にすることができると考えることができる。基地局は、ワイヤレス通信ネットワークのノードとなるように構成する、特に、例えば直接関連するデバイスとして、または補助的な、かつ／もしくは調整用のノードとして設定するなど、セルラ通信用に設定する、かつ／またはセルラ通信を可能にするように設定する、かつ／またはセルラ通信を容易にするように設定する、かつ／またはセルラ通信に参加するように設定することができる。一般に、基地局は、コアネットワークと通信するように、かつ／あるいは１つまたは複数のユーザ機器にサービスおよび／または制御を提供するように、かつ／あるいは１つまたは複数のユーザ機器とコアネットワークおよび／または別の基地局との間で通信および／またはデータを中継および／またはトランスポートするように、構成することができる。ネットワークノードまたは基地局は、一般に、ネットワークおよび／あるいは基地局によってサービスされる１つまたは複数のセルの時間／周波数リソースの割り当ておよび／またはスケジューリングを行うように適合することができる。ｅノードＢ（ｅＮＢ）は、例えばＬＴＥ標準によれば、基地局の１例と考えることができる。基地局は、エボルブドパケットコア（ＥＰＣ）として設定される、またはエボルブドパケットコア（ＥＰＣ）に接続される、もしくは接続可能であるように設定され、かつ／あるいは対応する機能性を提供する、かつ／または対応する機能性に接続するように設定されると考えることができる。基地局の機能性および／または複数の異なる機能は、１つまたは複数の異なるデバイス、および／または物理的位置、および／またはノードに分散させることができる。基地局は、ワイヤレス通信ネットワークのノードであると考えることができる。一般に、基地局は、制御ノードおよび／または調整ノードとなるように、かつ／あるいは特に１つまたは複数のセルを介したセルラ通信のためにリソースの割り当てを行うように設定されると考えることができる。
【００９９】
セルラ通信では、例えばネットワークノード、特に基地局またはｅノードＢによって提供することができるセルを介する、かつ／またはそのようなセルを規定する、少なくとも１つのアップリンク（ＵＬ）接続、および／またはチャネル、および／またはキャリアと、少なくとも１つのダウンリンク（ＤＬ）接続、および／またはチャネル、および／またはキャリアとが設けられると考えられる。アップリンク方向は、端末から例えば基地局および／または中継局などのネットワークノードへのデータ転送方向を指すことができる。ダウンリンク方向は、例えば基地局および／または中継局などのネットワークノードから端末へのデータ転送方向を指すことができる。ＵＬおよびＤＬは、異なる周波数リソース、例えばキャリアおよび／またはスペクトル帯域と関連付けることができる。セルは、異なる周波数帯域を有することができる少なくとも１つのアップリンクキャリアと少なくとも１つのダウンリンクキャリアとを含むことができる。
【０１００】
例えば基地局またはｅノードＢなどのネットワークノードは、キャリアアグリゲートされた（ＣＡ）セルとすることができる例えばセルのグループなどの１つまたは複数のセルを提供する、かつ／または規定する、かつ／または制御するように適合することができる。セルのグループは、そのグループのメンバである、かつ／またはそのグループと関連付けられると考えることができる、少なくとも１つの１次セルを含むことができる。セルグループは、１つまたは複数の２次セルを含むことができる（なお、２次グループだけでなく全てのグループが、２次セルを含むことができることに留意されたい。この文脈における「２次」とは、１つのグループの１次セルに対する「２次」を指す）。１次セルは、１次セルおよび／またはセルグループに関する制御情報（特に割り当てデータ）ならびに／あるいはスケジューリングおよび／または割り当て情報を、通信（送信および受信）のために接続され、かつ／またはそのセルを有するように設定された端末に提供する、かつ／またはその端末から受け取るように、適合および／または利用することができる。制御情報は、１次セルおよび／またはセルグループに関係する可能性がある。各１次セルおよび／または関連するグループは、特定のネットワークノードに関連付けることができる。マスタネットワークノードは、マスタセルグループ内の１次セルを提供し、かつ／またはその１次セルにサービスし、かつ／またはその１次セルを規定するように適合することができる。２次ネットワークノードは、２次セルグループを提供し、かつ／または２次セルグループにサービスし、かつ／または２次セルグループを規定するように適合することができる。
【０１０１】
端末は、マスタネットワークノードと通信するために、マスタセルグループ（少なくとも１つの１次セル）を有する設定になるように、かつ／またはマスタセルグループを介して通信するように適合することができる。加えて、端末は、２次ネットワークノードと通信するために、２次セルグループ（少なくとも１つの（２次）１次セル）を有する設定になるように、かつ／または２次セルグループを介して通信するように適合することができ、この端末は、一般に、デュアルコネクティビティように適合することができる。端末は、例えば（例えばマスタネットワークノードと通信するための）第１の送信機、および／または受信機、および／またはトランシーバ回路、ならびに（例えば２次ネットワークノードと通信するための）第２の送信機、および／または受信機、および／またはトランシーバ回路など、適当な回路を含むことができる。
【０１０２】
ネットワークノード、特に基地局、および／または端末、特にＵＥは、ＬＴＥにライセンスされた、かつ／またはＬＴＥ用に規定されたスペクトル帯域（周波数帯域）で通信するように適合することができる。
【０１０３】
リソースまたは通信リソースは、一般に、例えばフレーム、サブフレーム、スロット、リソースブロック、キャリア、サブキャリア、チャネル、周波数／スペクトル帯域などを含むことができる周波数および／または時間リソースとすることができる。割り当てまたはスケジューリングされるリソースは、周波数関連情報、特に１つまたは複数のキャリア、および／または帯域幅、および／またはサブキャリアに関連する情報、ならびに／あるいは時間関連情報、特にフレーム、および／もしくはスロット、および／もしくはサブフレームに関連する、かつ／またはリソースブロック、および／もしくは時間／周波数ホッピング情報に関連する情報を含むことができ、かつ／あるいはそれらの情報を指すことができる。割り当てられたリソース上での、かつ／または割り当てられたリソースを利用した送信は、例えば指示される周波数、および／またはサブキャリア、および／またはキャリア、および／またはタイムスロットもしくはサブフレーム上など、割り当てられたリソース上で、データを送信することを含むことができる。一般に、割り当てられたリソースは、解放および／または割り当て解除することができると考えることができる。ネットワークまたはネットワークのノード、例えば基地局などのネットワークノードまたは割り当てノードなどは、例えばリソースの解放または割り当て解除、および／あるいはＵＬリソースおよび／またはＤＬリソースのスケジューリングを示すデータなど、対応する割り当てまたはスケジューリングデータを決定および／または送信するように適合することができる。したがって、リソース割り当ては、ネットワークおよび／またはネットワークノードが実行することができ、１つまたは複数の端末のためのリソース割り当て／スケジューリングを提供するように適合されたネットワークノードは、制御ノードであると考えることができる。リソースは、セルレベルで、かつ／あるいはそのセルにサービスする、かつ／またはそのセルを提供するネットワークノードによって、割り当ておよび／またはスケジューリングすることができる。
【０１０４】
割り当てデータは、例えば制御および／または割り当てノードなどのネットワークノードによって割り当てられるリソースを示し、かつ／または付与するデータ、特に、例えば一般にデータおよび／または信号の送信および／または受信を含む可能性があるセルラ通信のためにどのリソースを確保する、または割り当てるかを特定する、または示すデータと考えることができ、割り当てデータは、リソースの付与または解放、および／あるいはリソースのスケジューリングを示すことができる。付与またはリソース付与は、割り当てデータの１例と考えることができる。割り当てノードは、割り当てデータをノードに直接、かつ／または例えば中継ノードおよび／または別のノードあるいは基地局を介するなどして間接的に送信するように適合されると考えることができる。割り当てデータは、特に例えばＬＴＥなどの標準で規定されていることがある例えばＤＣＩフォーマットなど既定のフォーマットに従って、制御データを含む、かつ／あるいはメッセージの一部である、またはメッセージを形成することができる。特に、割り当てデータは、リソースを確保する、または既に割り当てられている可能性があるリソースを解放するための情報および／または命令を含むことができる。端末は、一般に、割り当てデータに従って、１つおよび／または複数のネットワークノードへの例えばＵＬデータなどのデータの送信、ならびに／あるいは１つおよび／または複数のネットワークノードからのデータの受信を実行するように適合することができる。
【０１０５】
例えばユーザ機器などのワイヤレスデバイスを動作させる方法について述べる。
【０１０６】
図５は、この例でユーザ機器として実装することができる端末１０を概略的に示す図である。端末１０は、メモリに接続された制御装置を含むことができる制御回路２０を含む。受信モジュール、および／または送信モジュール、および／または制御もしくは処理モジュール、および／またはＣＩＳ受信モジュール、および／またはスケジューリングモジュールは、特に制御装置のモジュールとして、制御回路２０内に実装し、かつ／または制御回路２０によって実行可能にすることができる。端末１０は、受信および送信またはトランシーバ機能性を提供する無線回路２２も含み、無線回路２２は、制御回路に接続される、または接続可能である。端末１０のアンテナ回路２４は、信号の収集または送信および／あるいは増幅を行うために無線回路２２に接続される、または接続可能である。無線回路２２と、無線回路２２を制御する制御回路２０とは、本明細書に記載するように、第１のセル／キャリアおよび第２のセル／キャリア上での、特にＥ−ＵＴＲＡＮ／ＬＴＥリソースを利用したネットワークとのセルラ通信用に設定される。端末１０は、本明細書に開示する端末を動作させる方法のうちのいずれかを実行するように適合することができ、特に、端末１０は、例えば制御回路など、対応する回路を含むことができる。
【０１０７】
図６は、特に例えばＭｅＮＢまたはＳｅＮＢなどのｅノードＢとすることができるネットワークノードまたは基地局１００を概略的に示す図である。ネットワークノード１００は、メモリに接続された制御装置を含むことができる制御回路１２０を含む。受信モジュール、および／または送信モジュール、および／または制御もしくは処理モジュール、および／またはスケジューリングモジュール、および／またはＣＩＳ受信モジュールは、制御回路１２０内に実装し、かつ／または制御回路１２０によって実行可能にすることができる。制御回路は、受信機および送信機ならびに／またはトランシーバ機能性を提供するネットワークノード１００の制御無線回路１２２に接続される。アンテナ回路１２４は、信号の受信または送信および／あるいは増幅のために無線回路１２２に接続することができる、または接続可能にすることができる。ネットワークノード１００は、本明細書に開示するネットワークノードを動作させる方法のうちのいずれかを実行するように適合することができ、特に、ネットワークノード１００は、例えば制御回路など、対応する回路を含むことができる。
【０１０８】
図７は、本明細書に記載するような端末、特にデュアルコネクティビティ用に、かつ／またはデュアルコネクティビティ状態に設定された端末とすることができる端末を動作させる方法を示す例示的な流れ図である。この方法は、同期レベルを指す同期情報を取得する任意選択のアクションＴＳ８を含むことができる。この方法は、同期レベルに基づいて端末の設定送信（または出力）パワーＰＣＭＡＸを決定するアクションＴＳ１０をさらに含むことができる。
【０１０９】
図８は、本明細書に記載するような端末、特にデュアルコネクティビティ用に、かつ／またはデュアルコネクティビティ状態に設定された端末とすることができる端末の一例を示す図である。この端末は、ＴＳ８を実行する任意選択の取得モジュールＴＭ８を含むことができる。この端末は、アクションＴＳ１０を実行する決定モジュールＴＭ１０をさらに含む。
【０１１０】
図９は、本明細書に記載するようなネットワークノード、特に端末とのデュアルコネクティビティ用に、かつ／または端末とのデュアルコネクティビティ状態に設定されたネットワークノードとすることができるネットワークノードを動作させる方法を示す例示的な流れ図である。この方法は、端末が設定されるマスタセルグループ（ＭＣＧ）および２次セルグループ（ＳＣＧ）からの信号の間の時間差に関する同期情報を取得するアクションＮＳ１０を含むことができる。任意選択で、この方法は、取得した同期情報を端末に送信するアクションＮＳ１２を含むこともできる。
【０１１１】
図１０は、本明細書に記載するネットワークノード、特に端末とのデュアルコネクティビティ用に、かつ／または端末とのデュアルコネクティビティ状態に設定された、または設定可能なネットワークノードとすることができるネットワークノードの一例を示す図である。このネットワークノードは、端末が設定されるマスタセルグループ（ＭＣＧ）および２次セルグループ（ＳＣＧ）からの信号の間の時間差に関する同期情報を取得するアクションを実行する取得モジュールＮＭ１０を含むことができる。任意選択で、このネットワークノードは、取得した同期情報を端末に送信するアクションを実行する送信モジュールＮＭ１２を含むこともできる。
【０１１２】
本明細書に記載するネットワークノードを動作させる方法のいずれか１つを実行するように適合されたネットワークノードを考えることができる。
【０１１３】
本明細書に記載する端末を動作させる方法のいずれか１つを実行するように適合された端末を考えることができる。
【０１１４】
また、制御回路によって実行可能なコードを含むプログラム製品であって、コードが、特に本明細書に記載のような端末またはネットワークノードの制御回路とすることができる制御回路上で実行された場合に、その制御回路に、本明細書に記載のような端末またはネットワークノードを動作させる方法のいずれか１つを実行および／または制御させる、プログラム製品も開示する。
【０１１５】
さらに、本明細書に記載のプログラム製品および／または制御回路によって実行可能なコードのうちの少なくともいずれか１つを搬送および／または記憶するキャリア媒体であって、コードが、本明細書に記載する方法のうちの少なくともいずれか１つを制御回路に実行および／または制御させるキャリア媒体も開示する。一般に、キャリア媒体は、制御回路がアクセス可能、かつ／または読取り可能、かつ／または受信可能である可能性がある。データ、および／またはプログラム製品、および／またはコードの記憶は、データ、および／またはプログラム製品、および／またはコードの搬送の一部であるように見えることもある。キャリア媒体は、一般に、誘導／トランスポート媒体および／または記憶媒体を含むことができる。誘導／トランスポート媒体は、信号、特に電磁信号、および／または電気信号、および／または磁気信号、および／または光信号を搬送、および／または搬送、および／または記憶するように適合することができる。キャリア媒体、特に誘導／トランスポート媒体は、それらの信号を誘導して搬送するように適合することができる。キャリア媒体、特に誘導／トランスポート媒体は、例えば電波またはマイクロ波などの電磁場、および／あるいはグラスファイバなどの光透過性材料、および／あるいはケーブルを含むことができる。記憶媒体は、揮発性または不揮発性とすることができるメモリ、バッファ、キャッシュ、光ディスク、磁気メモリ、フラッシュメモリなどのうちの少なくとも１つを含むことができる。
【０１１６】
セルグループは、あるいは、特に各セルが１つまたは複数のキャ利を含むことから、キャリアグループと呼ばれることもある（この文脈での「キャリア」は、特にＬＴＥなどの電気通信標準によるワイヤレス送信用のキャリア周波数および／または帯域を指すことがある）。
【０１１７】
端末および／またはネットワークノードは、デュアルコネクティビティをサポートするように適合する、かつ／またはデュアルコネクティビティをサポートするコネクティビティモジュールを含むことができる。例えば、端末および／またはそのコネクティビティモジュールは、そのうちの１つをマスタネットワークノードとし、そのうちの少なくとも１つの他のノードを２次ノードとすることができる複数のネットワークノードと通信する、特に制御データ、および／またはスケジューリングデータ、および／または割り当てデータを送信および／または受信するように適合することができる。
【０１１８】
マスタネットワークノード、および／またはそのコネクティビティモジュールは、デュアルコネクティビティで２次ネットワークノードの機能性、特に２次ネットワークノード間のハンドオーバを制御するように適合することができる。マスタネットワークノード、および／またはそのコネクティビティモジュールは、例えばＸ２インターフェースなどのバックホールおよび／または通信インターフェースを介するなどして、対応する制御シグナリングを２次ネットワークノードに送信し、かつ／または２次ネットワークノードから受信するように適合することができる。
【０１１９】
ネットワークノードは、一般に、対応するバックホールおよび／または通信インターフェースを含むことができる。バックホールは、非理想的であることがある、すなわち高いレイテンシを有することがあると考えることができる（高いレイテンシは、マスタネットワークノードが２次ネットワークノードと端末の間の通信のために実時間制御を実行し、かつ／あるいは同期スケジューリングおよび／またはリソースの割り当てを提供するには高過ぎるレイテンシであることがある。別法として、またはこれに加えて、高いレイテンシは、実装されるシステム、および／または例えばＬＴＥなどの標準によって決まることがある所定の高レイテンシしきい値より高いレイテンシであることもある）。あるいは、バックホールは、理想的であり、（原理的には）このような種類の実時間制御を可能にすると考えることができる。２次ネットワークノード、および／またはそのコネクティビティモジュールは、マスタネットワークノードから制御情報を受信するように適合することができる。マスタネットワークノードは、一般に、例えば別の端末などの２次ネットワークノードの機能性に適合させることができ、またその逆も可能である。
【０１２０】
セルおよび／またはキャリアを有するように設定されている、かつ／あるいはセルを介してネットワークノードに接続されている端末は、そのセルまたはキャリアを使用して例えばネットワークノードと通信する（データを送信および／または受信する）ことができ、例えば通信のためにネットワークに登録されている、かつ／またはセルおよび／またはキャリアと同期している状態であることがある。特に、セルは、その端末のために活動化することができる。
【０１２１】
端末は、活動化手続きを実行するように適合することができ、この活動化手続きにおいて、端末は、セルを提供し、かつ／またはセルにサービスし、かつ／またはセルを規定し、かつ／またはセルをスケジューリングするネットワークノードから受信したタイミングメッセージおよび／またはタイミングパラメータに基づいて、そのセルを活動化する。活性化手続きはアクセス手続きの一部、特にランダムアクセスの一部であることがある。
【０１２２】
アクセス手続き／要求は、一般に、例えば競合解消または無競合の、本明細書に記載するようなランダムアクセス手続きとすることができる。アクセス手続き／要求を、端末および／またはネットワークノードとの間で実行して、セルにアクセスし、かつ／またはセルを時間的に整列させ、かつ／またはセルを端末のために活動化することができ、このセルは、ネットワークノードによって提供され、かつ／またはネットワークノードによってサービスされ、かつ／またはネットワークノードによって規定され、かつ／またはネットワークノードによって制御され、かつ／またはネットワークノードと関連付けられる。
【０１２３】
活動化手続きは、アクセス手続きを含むことができる。例えば望ましくない受信条件により端末がセルを活動化することができなかった場合には、実行されたアクセスまたは活動化手続きの結果が失敗であることもあることに留意されたい。
【０１２４】
同期情報は、一般に、例えばＭＣＧを介したマスタネットワークノードからの信号と例えばＳＣＧを介した２次ネットワークノードからの信号との間の時間差、ならびに／あるいは端末がＭＣＧおよびＳＣＧを介して、特にそれぞれの１次セル（ＰＣｅｌｌおよびＰＳＣｅｌｌ）を介して受信した信号の間の時間差に関する情報を指すことができる。同期情報は、同期レベルを指す、かつ／または含むことができる。同期レベルは、時間差（またはその絶対値）が所与のしきい値を超えるかどうか、かつ／または所与のしきい値の間であるかどうか、例えば時間差が信号が同期していると規定するしきい値より大きいかどうかを示すことができる。一般に、同期レベルは、本明細書で述べるようにデュアルコネクティビティにおける既定の同期のタイプまたはモードを示すことができる。同期のタイプの点で、上記のように１つまたは複数のしきい値を規定することができる。これに加えて、または別法として、同期情報は、時間差の値および／または絶対値を含むことができる。同期レベルの例は、同期および非同期（同時および非同時とも呼ぶ）を含む。
【０１２５】
ネットワークまたはネットワークノードによる端末またはＵＥの設定は、ネットワークまたはネットワークノードが、１つまたは複数のパラメータおよび／またはコマンドを端末またはＵＥに送信すること、ならびに／あるいは端末またはＵＥがネットワークおよび／またはネットワークノードから受信したパラメータおよび／またはコマンドに基づいてその設定および／またはセットアップを変更することを含むことができる。
【０１２６】
いくつかの有用な略記は、以下の通りである。
略記  説明
ＣＣＡ  クリアチャネル評価
ＤＣＩ  ダウンリンク制御情報
ＤＬ  ダウンリンク
ＤＭＲＳ  復調用参照信号
ｅＮＢ  エボルブドノードＢ、基地局
ＴＴＩ  送信時間間隔
ＵＥ  ユーザ機器
ＵＬ  アップリンク
ＬＡ  ライセンス補助
ＬＡ  ライセンス補助アクセス
ＤＲＳ  発見参照信号
ＳＣｅｌｌ  ２次セル
ＳＲＳ  サウンディング参照信号
ＬＢＴ  リッスンビフォアトーク
ＰＣＦＩＣＨ  物理制御フォーマットインジケータチャネル
ＰＤＣＣＨ  物理ダウンリンク制御チャネル
ＰＵＳＣＨ  物理アップリンク共有チャネル
ＰＵＣＣＨ  物理アップリンク制御チャネル
ＲＲＭ  無線リソース管理
ＣＩＳ  送信確認信号
３ＧＰＰ  第３世代パートナーシッププロジェクト
Ａｃｋ／ＮＡＣＫ  肯定応答／否定応答、Ａ／Ｎ
ＡＰ  アクセスポイント
Ｂ１、Ｂ２、…、Ｂｎ  信号の帯域幅、特に対応するキャリアまたは周波数ｆ１、ｆ２、…ｆｎに割り付けられたキャリア帯域幅Ｂｎ
ＢＥＲ／ＢＬＥＲ  ビット誤り率、ブロック誤り率
ＢＳ  基地局
ＣＡ  キャリアアグリゲーション
ＣＣ  コンポーネントキャリア（キャリアアグリゲート中のキャリア）
ＣｏＭＰ  協調マルチポイント送受信
ＣＱＩ  チャネル品質情報
ＣＲＳ  セル特有参照信号
ＣＳＩ  チャネル状態情報
ＣＳＩ−ＲＳ  ＣＳＩ参照信号
Ｄ２Ｄ  デバイスツーデバイス
ＤＬ  ダウンリンク
ＥＰＤＣＣＨ  エンハンスト物理ＤＬ制御チャネル
ＤＬ  ダウンリンク：一般に、ノードへの／（物理的および／または論理的に）ネットワークコアから遠ざかる方向への、特に基地局またはｅノードＢからＤ２Ｄ対応ノードまたはＵＥへのデータの送信を指す。ＵＬとは異なる指定されたスペクトル／帯域幅を使用することが多い（例えばＬＴＥ）。
ｅＮＢ  エボルブドノードＢ。基地局の一形態、ｅノードＢとも呼ばれる。
Ｅ−ＵＴＲＡ／Ｎ  エボルブドＵＭＴＳ地上無線アクセス／ネットワーク、ＲＡＴの例
ｆ１、ｆ２、ｆ３、…、ｆｎ  キャリア／キャリア周波数。異なる数字は、参照するキャリア／周波数が異なることを示すことができる。
ｆ１＿ＵＬ、…、ｆｎ＿ＵＬ  アップリンク用の／アップリンク周波数または帯域のキャリア
ｆ１＿ＤＬ、…、ｆｎ＿ＤＬ  ダウンリンク用の／ダウンリンク周波数または帯域のキャリア
ＦＤＤ  周波数分割複信
ＩＤ  識別
Ｌ１  レイヤ１
Ｌ２  レイヤ２
ＬＴＥ  ロングタームエボリューション、電気通信標準
ＭＡＣ  媒体アクセス制御
ＭＢＳＦＮ  マルチプルブロードキャスト単一周波数ネットワーク
ＭＤＴ  ドライブテストの最小化
ＭＭＥ  モビリティ管理エンティティ。例えばｅＮＢなどの無線ネットワークノードに制御機能性を提供するワイヤレス通信ネットワーク（ＬＴＥ）の制御エンティティ。
ＮＷ  ネットワーク
ＯＦＤＭ  直交周波数分割多重
Ｏ＆Ｍ  運用および保守
ＯＳＳ  運用サポートシステム
ＰＣ  パワー制御
ＰＣｅｌｌ  １次セル（例えばＣＡ内のもの、特にマスタセルグループの１次セル）
ＰＤＣＣＨ  物理ＤＬ制御チャネル
ｐＨ  パワーヘッドルーム
ＰＨＲ  パワーヘッドルーム報告
Ｐｓｃｅｌｌ  ２次セルグループの１次セル
ＰＳＳ  １次同期信号
ＰＵＳＣＨ  物理アップリンク共有チャネル
Ｒ１、Ｒ２、…、Ｒｎ  リソース。特に時間周波数リソース。特に対応する周波数ｆ１、ｆ２、…、ｆｎに割り付けられたもの。
ＲＡ  ランダムアクセス
ＲＡＣＨ  ランダムアクセスチャネル
ＲＡＮ  無線アクセスネットワーク
ＲＡＴ  無線アクセス技術
ＲＥ  リソースエレメント
ＲＢ  リソースブロック
ＲＲＨ  リモート無線ヘッド
ＲＲＭ  無線リソース管理
ＲＲＵ  リモートラジオユニット
ＲＳＲＱ  参照信号受信品質
ＲＳＲＰ  参照信号受信パワー
ＲＳＳＩ  受信信号強度インジケータ
ＲＸ  受信／受信機、受信関連
ＳＡ  スケジューリング割付け
ＳＣｅｌｌ  ２次セル（例えばＣＡ内のもの）
ＳＩＮＲ／ＳＮＲ  信号対雑音および干渉比、信号対雑音比
ＳＦＮ  単一周波数ネットワーク
ＳＯＮ  自己組織化ネットワーク
ＳＳＳ  ２次同期信号
ＴＰＣ  送信パワー制御
ＴＸ  送信／送信機、送信関連
ＴＤＤ  時間分割複信
ＵＥ  ユーザ機器
ＵＬ  アップリンク。一般に、ノードへの／（物理的および／または論理的に）ネットワークコアに近づく方向への、特にＤ２Ｄ対応ノードまたはＵＥから基地局またはｅノードＢへのデータの送信を指す。Ｄ２Ｄの状況では、アップリンクは、セルラ通信でｅＮＢへのＵＬ通信に使用されるスペクトル／帯域幅とすることができる、Ｄ２Ｄで送信するために利用されるスペクトル／周波数を指すことができる。いくつかのＤ２Ｄの変形形態では、Ｄ２Ｄ通信に関連する全てのデバイスによる送信は、いくつかの変形形態では、一般にＵＬスペクトル／帯域幅／キャリア／周波数にすることができる。
ＤＣ  デュアルコネクティビティ
ＭＣＧ  メインセルグループ
ＳＣＧ  ２次セルグループ
ＰＣｅｌｌ  １次セル
ＰＳＣｅｌｌ  １次ＳＣｅｌｌ
ＳＣｅｌｌ  ２次セル
ＲＡＣＨ  ランダムアクセスチャネル
【０１２７】
以上その他の略記を、ＬＴＥ標準の規定に従って使用することができる。
【図１】
2020115645.tif 000017
【図２】
2020115645.tif 000018
【図３（ａ）】
2020115645.tif 000019
【図３（ｂ）】
2020115645.tif 000020
【図３（ｃ）】
2020115645.tif 000021
【図４（ａ）】
2020115645.tif 000022
【図４（ｂ）】
2020115645.tif 000023
【図５】
2020115645.tif 000024
【図６】
2020115645.tif 000025
【図７】
2020115645.tif 000026
【図８】
2020115645.tif 000027
【図９】
2020115645.tif 000028
【図１０】
2020115645.tif 000029
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおいて端末（１０）を動作させる方法であって、前記端末（１０）が、デュアルコネクティビティに適合されており、前記方法が、同期レベルに基づいて前記端末（１０）の総設定最大出力パワーＰＣＭＡＸを決定することを含み、
前記端末（１０）が、マスタセルグループ（ＭＣＧ）を介してマスタネットワークノード（１００）に接続され、２次セルグループ（ＳＣＧ）を介して２次ネットワークノードに接続され、
前記ＭＣＧのサブフレームｐが前記ＳＣＧのサブフレームｑと重複して、サブフレームｐの第１のスロットがサブフレームｑの第１のスロットと重複し、サブフレームｐが前記サブフレームｑと比較して時間的に先行するようになっているときに、前記ＭＣＧのサブフレームｐを参照サブフレームとして規定し、前記参照サブフレームのＰＣＭＡＸを、前記ＳＣＧのサブフレームｑ−１およびｑを考慮して決定する、方法。
【請求項２】
同期情報を取得することを含み、前記同期情報が、同期レベルを指す、請求項１に記載の方法。
【請求項３】
ワイヤレス通信ネットワークの端末（１０）であって、
デュアルコネクティビティに適合されており、
同期レベルに基づいて前記端末（１０）の総設定最大出力パワーＰＣＭＡＸを決定するようにさらに適合され、
マスタセルグループ（ＭＣＧ）を介してマスタネットワークノード（１００）に接続され、または接続可能であり、２次セルグループ（ＳＣＧ）を介して２次ネットワークノードに接続され、または接続可能であり、
前記ＭＣＧのサブフレームｐが前記ＳＣＧのサブフレームｑと重複して、サブフレームｐの第１のスロットがサブフレームｑの第１のスロットと重複し、サブフレームｐが前記サブフレームｑと比較して時間的に先行するようになっているときに、サブフレームｐを参照フレームとして規定し、前記参照サブフレームのＰＣＭＡＸを、前記ＳＣＧのサブフレームｑ−１およびｑを考慮して決定するようにさらに適合される、端末（１０）。
【請求項４】
同期情報を取得するようにさらに適合され、前記同期情報が、前記同期レベルを指す、請求項３に記載の端末。
【請求項５】
制御回路によって実行可能なコードを含むプログラムであって、前記コードが、前記制御回路上で実行された場合に、前記制御回路に、請求項１または２に記載の方法のうちの１つを実行および／または制御させる、プログラム。
【請求項６】
請求項５に記載のプログラムおよび／または制御回路によって実行可能なコードを搬送および／または記憶するキャリア媒体であって、前記コードが、前記制御回路に、請求項１または２に記載の方法のうちの１つを実行および／または制御させる、キャリア媒体。
【外国語明細書】
2020115645000001.pdf